(57)【要約】【課題】ユーザーが３Ｄ出力モード設定を誤った場合であっても、ＯＳＤを視認可能とする。【解決手段】３Ｄ映像の出力フォーマットの指定をユーザーから受付ける３Ｄ出力設定ボタン４１を備えたリモコン４０と、フレーム画像にＯＳＤ（オンスクリーンディスプレイ）画像を重畳するＯＳＤ部１３を備えたＳｏＣ１０と、を備え、リモコン４０を介して受付けた出力フォーマットに規定されている左目用画像の合成領域から取得した画像を利用して左目用画像を復元し、出力フォーマットに規定されている右目用画像の合成領域から取得した画像を利用して右目用画像を復元し、出力フォーマットに応じた位置にＯＳＤ画像を重畳する。【選択図】図１
2012244570.tif 000002
【特許請求の範囲】
【請求項１】
左目用画像と右目用画像とが１枚のフレーム画像に合成された３Ｄ映像に対して画質調整を行う第１映像処理チップと、前記３Ｄ映像から左目用画像と右目用画像をそれぞれ復元する第２映像処理チップと、を備える立体映像表示装置において、
前記３Ｄ映像のフォーマットの指定をユーザーから受付けるフォーマット受付部と、
前記第１映像処理チップにおいて前記フレーム画像にＯＳＤ画像（オンスクリーンディスプレイ画像）を重畳するＯＳＤ部と、
を備え、
前記第２映像処理チップでは、前記フォーマット受付部の受付けたフォーマットに規定されている左目用画像の合成領域から取得した画像を利用して左目用画像を復元し、前記フォーマット受付部の受付けたフォーマットに規定されている右目用画像の合成領域から取得した画像を利用して右目用画像を復元し、
前記ＯＳＤ部は、前記フォーマット受付部の受付けたフォーマットに応じた位置に前記ＯＳＤ画像を重畳することを特徴とする立体映像表示装置。
【請求項２】
前記フォーマット受付部が、前記３Ｄ映像のフォーマットとしてＳｉｄｅ  ｂｙ  Ｓｉｄｅ方式を受付けると、
前記ＯＳＤ部は、前記フレーム画像の左半分の所定位置と前記フレーム画像の右半分の所定位置とに、前記ＯＳＤ画像の幅を半分に圧縮した圧縮ＯＳＤ画像を重畳する請求項１に記載の立体映像表示装置。
【請求項３】
前記フォーマット受付部が、前記３Ｄ映像のフォーマットとしてＴｏｐ  ＆  Ｂｏｔｔｏｍ方式を受付けると、
前記ＯＳＤ部は、前記フレーム画像の上半分の所定位置と前記フレーム画像の下半分の所定位置とに、前記ＯＳＤ画像の高さを半分に圧縮した圧縮ＯＳＤ画像を重畳する請求項１または請求項２に記載の立体映像表示装置。
【発明の詳細な説明】
【技術分野】
【０００１】
本発明は立体映像表示装置に関し、特に、左目用画像と右目用画像とが１枚のフレーム画像に合成された３Ｄ映像に対して画質調整を行う第１映像処理チップと、前記３Ｄ映像から左目用画像と右目用画像をそれぞれ復元する第２映像処理チップと、を備える立体映像表示装置に関する。
【背景技術】
【０００２】
３Ｄテレビの映像には各種フォーマットがあり、これらフォーマットにかかる映像表示やフォーマットの変換に関する技術として特許文献１〜４の技術が開示されている。
【先行技術文献】
【特許文献】
【０００３】
【特許文献１】特開２０１０−２５８８４８号公報
【特許文献２】特開２０１０−２８８２３４号公報
【特許文献３】特開２００４−３４３２９０号公報
【特許文献４】特開２０１０−０２８４５６号公報
【発明の概要】
【発明が解決しようとする課題】
【０００４】
多くの３Ｄテレビでは、輝度調整やコントラスト調整等の各種の映像処理を行うＳｏＣ（システムオンチップ）と、フレームレートの変換を行うＦＲＣ（フレームレートコンバーター）と、の２チップ構成で映像処理を行っており、このような３Ｄテレビでは、映像に対するＯＳＤ（オンスクリーンディスプレイ）画像の重畳をＳｏＣにて行うことが多い。ここで、３Ｄテレビに入力される３Ｄ映像には、「Ｓｉｄｅ  ｂｙ  Ｓｉｄｅ方式（以下、ＳｂｙＳと略す。）」、「Ｔｏｐ  ＆  Ｂｏｔｔｏｍ方式（以下、Ｔ＆Ｂと略す。）」、「ＨＤＭＩ１．４  Ｆｒａｍｅ  Ｐａｃｋｉｎｇ方式（以下、ＨＤＭＩと略す。）」３種類がある。
【０００５】
図７は、ＳｂｙＳの映像処理を説明する図である。同図に示すように、ＳｂｙＳの３Ｄ映像においては、幅方向を半分に圧縮した左目用圧縮画像と幅方向を半分に圧縮した右目用圧縮画像とを、左右に並べて１枚のフレーム画像（以下、ＳｂｙＳフレーム画像と記載する。）としてある。ＳｏＣは、当該フレーム画像に対して各種の映像処理を行ってＦＲＣに出力する。
【０００６】
ＳｏＣは、ＳｂｙＳフレーム画像の入力中にＯＳＤの重畳を指示されると、ＯＳＤ画像の幅方向を半分に圧縮した圧縮ＯＳＤ画像を生成し、当該圧縮ＯＳＤ画像を左目用圧縮画像の所定位置と右目用圧縮画像の所定位置とにそれぞれ重畳し、圧縮ＯＳＤ画像が重畳されたＳｂｙＳフレーム画像をＦＲＣに出力することになる。
【０００７】
ＦＲＣは、ＳｂｙＳフレーム画像の左半分を切り出して幅方向を２倍に拡大することにより左目用原画像を復元し、ＳｂｙＳフレーム画像の右半分を切り出して幅方向を２倍に拡大することにより右目用原画像を復元する。このようにして復元した左目用原画像と右目用原画像を、アクティブ方式においては交互に出力し、パッシブ方式においては水平ラインの奇数・偶数ラインごとに左眼用/右眼用の映像を配置して出力する。
【０００８】
図８は、Ｔ＆Ｂの映像処理を説明する図である。同図に示すように、Ｔ＆Ｂの３Ｄ映像は、高さ方向を半分に圧縮した左目用圧縮画像と高さ方向を半分に圧縮した右目用圧縮画像とを、上下に並べて１つのフレーム画像（以下、Ｔ＆Ｂフレーム画像と記載する。）としてある。ＳｏＣは、当該フレーム画像に対して各種の映像処理を行ってＦＲＣに出力する。
【０００９】
ＳｏＣは、Ｔ＆Ｂフレーム画像の入力中にＯＳＤの重畳を指示されると、ＯＳＤ画像の高さ方向を半分に圧縮した圧縮ＯＳＤ画像を生成し、当該圧縮ＯＳＤ画像を左目用圧縮画像の所定位置と右目用圧縮画像の所定位置とにそれぞれ重畳し、圧縮ＯＳＤ画像が重畳されたＴ＆Ｂフレーム画像をＦＲＣに出力する。
【００１０】
ＦＲＣは、Ｔ＆Ｂフレーム画像の上半分を切り出して高さ方向を２倍に拡大することにより左目用原画像を復元し、Ｔ＆Ｂフレーム画像の下半分を切り出して高さ方向を２倍に拡大することにより右目用原画像を復元する。このようにして復元した左目用原画像と右目用原画像を、アクティブ方式においては交互に出力し、パッシブ方式においては水平ラインの奇数・偶数ラインごとに左眼用/右眼用の映像を配置して出力する。
【００１１】
図９は、ＨＤＭＩの映像処理を説明する図である。同図に示すように、ＨＤＭＩの３Ｄ映像は、縦横ともに通常サイズの左目用画像と右目用画像を上下に並べてあり、高さが通常の倍のフレーム画像（以下、ＨＤＭＩフレーム画像と記載する）としてある。ＳｏＣは、当該フレーム画像に対して、各種の映像処理を行ってＦＲＣに出力する。
【００１２】
ＳｏＣは、ＨＤＭＩフレーム画像の入力中にＯＳＤの重畳を指示されると、ＯＳＤ画像を生成し、当該ＯＳＤ画像を左目用画像の所定位置と右目用画像の所定位置とにそれぞれ重畳し、ＯＳＤ画像が重畳されたＨＤＭＩフレーム画像をＦＲＣに出力する。
【００１３】
ＦＲＣは、ＨＤＭＩフレーム画像の上半分を切り出すことにより左目用原画像を復元し、ＨＤＭＩフレーム画像の下半分を切り出すことにより右目用原画像を復元する。このようにして復元した左目用原画像と右目用原画像を、アクティブ方式においては交互に出力し、パッシブ方式においては水平ラインの奇数・偶数ラインごとに左眼用/右眼用の映像を配置して出力する。
【００１４】
ここで、ＳｏＣは入力された３Ｄ映像の種類（ＳｂｙＳ、Ｔ＆Ｂ、ＨＤＭＩ）を判別する手段を有し、入力された３Ｄ映像の種類に応じた適切な位置にＯＳＤを重畳することができるが、ＦＲＣはユーザーがリモコン等を用いて設定する３Ｄ出力モード設定に応じて左目用画像と右目用画像とを生成する。すなわち、３Ｄ出力モードがＳｂｙＳに設定されている場合は、ＦＲＣは、フレーム画像の左半分を切り出して幅方向を２倍に拡大することにより左目用原画像を復元し、フレーム画像の右半分を切り出して幅方向を２倍に拡大することにより右目用原画像を復元する。また、３Ｄ出力モードがＴ＆Ｂに設定されている場合は、フレーム画像の上半分を切り出して高さ方向を２倍に拡大することにより左目用原画像を復元し、フレーム画像の下半分を切り出して高さ方向を２倍に拡大することにより右目用原画像を復元する。
【００１５】
従って、入力された３Ｄ映像の種類に対してＦＲＣにおける３Ｄ出力モード設定が不適切な場合は、下記の現象が発生する。
【００１６】
図１０は、入力された３Ｄ映像がＴ＆Ｂ、３Ｄ出力モード設定がＳｂｙＳの場合を説明する図である。同図に示すように、ＳｏＣは左目用圧縮画像と右目用圧縮画像の適切な位置にＯＳＤ画像を重畳するが、ＦＲＣはＴ＆Ｂフレーム画像の左半分を切り出して幅方向を２倍に拡大することにより左目用画像とし、Ｔ＆Ｂフレーム画像の右半分を切り出して幅方向を２倍に拡大することにより右目用画像とする。従って、画面に表示される画像やＯＳＤは視認できない。
【００１７】
図１１は、入力された３Ｄ映像がＳｂｙＳ、３Ｄ出力モード設定がＴ＆Ｂの場合を説明する図である。同図に示すように、ＳｏＣは左目用圧縮画像と右目用圧縮画像の適切な位置にＯＳＤ画像を重畳するが、ＦＲＣはＳｂｙＳフレーム画像の上半分を切り出すことにより左目用画像とし、ＳｂｙＳフレーム画像の下半分を切り出すことにより右目用画像とする。従って、画面に表示される画像やＯＳＤは視認できない。
【００１８】
図１２は、入力された３Ｄ映像がＨＤＭＩ、３Ｄ出力モード設定がＳｂｙＳの場合を説明する図である。同図に示すように、ＳｏＣは左目用画像と右目用画像の適切な位置にＯＳＤ画像を重畳するが、ＦＲＣはＨＤＭＩフレーム画像の上半分（左目用画像）の左半分を切り出すことにより左目用画像とし、ＨＤＭＩフレーム画像の上半分（左目用画像）の右半分を切り出すことにより右目用画像とする。従って、画面に表示される画像やＯＳＤは視認できない。
【００１９】
図１３は、入力された３Ｄ映像がＨＤＭＩ、３Ｄ出力モード設定がＴ＆Ｂの場合を説明する図である。同図に示すように、ＳｏＣは左目用画像と右目用画像の適切な位置にＯＳＤ画像を重畳するが、ＦＲＣはＨＤＭＩフレーム画像の上半分（左目用画像）の上半分を切り出すことにより左目用画像とし、ＨＤＭＩフレーム画像の上半分（左目用画像）の下半分を切り出すことにより右目用画像とする。従って、画面に表示される画像やＯＳＤは視認できない。
【００２０】
本発明は、上記課題に鑑みてなされたもので、第１チップにて映像処理を行った映像に対し、第２チップにて３Ｄ出力モード設定に基づいて出力画像を生成し、前記第１チップにおいてＯＳＤ画像の重畳を行う立体映像表示装置において、ユーザーが３Ｄ出力モード設定を誤った場合であってもＯＳＤを視認可能とした立体映像表示装置の提供を目的とする。
【課題を解決するための手段】
【００２１】
本発明の態様の１つは、左目用画像と右目用画像とが１枚のフレーム画像に合成された３Ｄ映像に対して画質調整を行う第１映像処理チップと、前記３Ｄ映像から左目用画像と右目用画像をそれぞれ復元する第２映像処理チップと、を備える立体映像表示装置において、前記３Ｄ映像のフォーマットの指定をユーザーから受付けるフォーマット受付部と、前記第１映像処理チップにおいて前記フレーム画像にＯＳＤ（オンスクリーンディスプレイ）画像を重畳するＯＳＤ部と、を備え、前記第２映像処理チップでは、前記フォーマット受付部の受付けたフォーマットに規定されている左目用画像の合成領域から取得した画像を利用して左目用画像を復元し、前記フォーマット受付部の受付けたフォーマットに規定されている右目用画像の合成領域から取得した画像を利用して右目用画像を復元し、前記ＯＳＤ部は、前記フォーマット受付部の受付けたフォーマットに応じた位置に前記ＯＳＤ画像を重畳する構成とされる。
【００２２】
なお、上述した立体映像表示装置は、他の機器に組み込まれた状態で実施されたり他の方法とともに実施されたりする等の各種の態様を含む。また、本発明は前記立体映像表示装置を備える印刷システム、上述した装置の構成に対応した工程を有する制御方法、上述した装置の構成に対応した機能をコンピュータに実現させるプログラム、該プログラムを記録したコンピュータ読み取り可能な記録媒体、等としても実現可能である。これら立体映像表示システム、立体映像表示方法、立体映像表示プログラム、当該立体映像表示プログラムを記録した媒体、の発明も、上述した作用、効果を奏する。
【発明の効果】
【００２３】
本発明によれば、第１チップにて映像処理を行った映像に対し、第２チップにて３Ｄ出力モード設定に基づいて出力画像を生成し、前記第１チップにおいてＯＳＤ画像の重畳を行う立体映像表示装置において、ユーザーが３Ｄ出力モード設定を誤った場合であってもＯＳＤを視認可能とすることができる。
請求項２にかかる発明によれば、出力フォーマットがＳｉｄｅ  ｂｙ  Ｓｉｄｅ方式のときに、ユーザーが３Ｄ出力モード設定を誤った場合であってもＯＳＤを視認可能とすることができる。
請求項３にかかる発明によれば、出力フォーマットがＴｏｐ  ＆  Ｂｏｔｔｏｍ方式のときに、ユーザーが３Ｄ出力モード設定を誤った場合であってもＯＳＤを視認可能とすることができる。
【図面の簡単な説明】
【００２４】
【図１】３Ｄテレビの要部を示したブロック構成図である。
【図２】３Ｄ出力モード設定画面の一例を示す図である。
【図３】入力フォーマットがＴ＆Ｂであって出力フォーマットがＳｂｙＳの場合を説明する。
【図４】入力フォーマットがＳｂｙＳであって出力フォーマットがＴ＆Ｂの場合を説明する。
【図５】入力フォーマットがＨＤＭＩであって出力フォーマットがＳｂｙＳの場合を説明する。
【図６】入力フォーマットがＨＤＭＩであって出力フォーマットがＴ＆Ｂの場合を説明する。
【図７】ＳｂｙＳの場合の映像処理を説明する図である。
【図８】Ｔ＆Ｂの場合の映像処理を説明する図である。
【図９】ＨＤＭＩの場合の映像処理を説明する図である。
【図１０】入力された３Ｄ映像がＴ＆Ｂ、３Ｄ出力モード設定がＳｂｙＳの場合を説明する図である。
【図１１】入力された３Ｄ映像がＳｂｙＳ、３Ｄ出力モード設定がＴ＆Ｂの場合を説明する図である。
【図１２】入力された３Ｄ映像がＨＤＭＩ、３Ｄ出力モード設定がＳｂｙＳの場合を説明する図である。
【図１３】入力された３Ｄ映像がＨＤＭＩ、３Ｄ出力モード設定がＴ＆Ｂの場合を説明する図である。
【発明を実施するための形態】
【００２５】
以下、図面を参照しつつ本発明の実施形態を説明する。
図１は、３Ｄテレビの要部を示したブロック構成図である。同図に示す３Ｄテレビ１００は、本実施形態において立体映像表示装置を構成す。３Ｄテレビ１００は、ＳｏＣ１０（システムオンチップ）、ＦＲＣ２０（フレームレートコンバーター）、マイコン３０、リモコン４０、を備えている。なお、本実施形態においては、ＳｏＣ１０が第１映像処理チップを構成し、ＦＲＣ２０が第２映像処理チップを構成する。
【００２６】
ＳｏＣ１０は、画像処理部１１と、フォーマット検出部１２と、ＯＳＤ部１３とを備えている。ＳｏＣ１０には、３Ｄ映像や２Ｄ映像が入力され、入力される映像のフレームレート（例えば６０Ｈｚ）を変更せずに各種処理を行う。画像処理部１１は、ＳｏＣ１０に入力される３Ｄ映像や２Ｄ映像に対し、輝度やコントラスト等の映像の画質調整にかかる各種の映像処理を行う。フォーマット検出部１２は、垂直機線期間に送信されるタグやＨＤＭＩのインフォフレームのタグを取得し、これらタグに基づいて入力される映像のフォーマットを判断する。ＯＳＤ部１３は、マイコン３０の指示に従い、入力される映像の各フレーム画像にＯＳＤ画像を重畳する。
【００２７】
ＦＲＣ２０は、３Ｄ映像復元部２１と、フレームレート変換部２２とを備えている。３Ｄ映像復元部２１は、前記発明が解決しようとする課題の欄において図３〜図９を参照しつつ説明したように、右目用画像と左目用画像とが１枚のフレーム画像に合成されている３Ｄ映像から右目用画像と左目用画像を復元し、順次、フレームレート変換部２２へ出力する。なお、３Ｄ映像復元部２１は、入力された映像が２Ｄ画像の場合は特に何もせずにフレームレート変換部２２へ出力する。
【００２８】
マイコン３０は、３Ｄテレビ１００の全体を制御する制御主体を構成する。リモコン４０は、電源ボタンやチャンネル切換ボタン、カーソルキー４２等の他に、３Ｄ出力フォーマットを指定するための３Ｄ出力設定ボタン４１を備えている。リモコン４０は、本実施形態においてフォーマット受付部を構成する。マイコン３０は、リモコン４０から出力されるリモコン信号を受信するリモコン信号受信部を備えており、受信したリモコン信号に応じた制御を行う。例えば、３Ｄ出力設定ボタン４１の操作を示すリモコン信号を受信すると、ＯＳＤ部１３に対して３Ｄ出力モードを選択するための３Ｄ出力モード設定画面にかかるＯＳＤ画像を表示するように指示する。
【００２９】
図２は、３Ｄ出力モード設定画面の一例を示す図である。同図に示す３Ｄ出力モード設定画面では、３Ｄ出力モードとして「Ｓｉｄｅ  ｂｙ  Ｓｉｄｅ方式」と「Ｔｏｐ  ＆  Ｂｏｔｔｏｍ方式」とを選択可能とされ、ユーザーは、カーソルキー４２の上下キーを操作することによりいずれかの３Ｄ出力モードにカーソルを合わせてＥｎｔｅｒキーを操作することにより、いずれかの３Ｄ出力モードを選択することができる。以下、ユーザーがリモコン４０にて選択した３Ｄ出力モードのフォーマットを、出力フォーマット、と記載し、実際の３Ｄ映像におけるフォーマットを、入力フォーマット、と記載することにする。
【００３０】
３Ｄ映像復元部２１は、出力フォーマットにかかる情報をマイコン３０から入力されており、出力フォーマットに基づいて３Ｄ映像の復元を行う。すなわち、３Ｄ映像復元部２１は、３Ｄ映像から右目用画像と左目用画像を復元するにあたり、出力フォーマットに規定されている左目用画像や右目用画像の合成領域から画像を取得し、出力フォーマットが画像を圧縮して合成する種類のフォーマットであれば適宜に画像を拡大して左目用画像や右目用画像の原画像を復元する。
【００３１】
また、ＯＳＤ部１３も、出力フォーマットにかかる情報をマイコン３０から入力されており、出力フォーマットに基づいて３Ｄ映像に対するＯＳＤ画像（オンスクリーンディスプレイ画像）の重畳を行う。すなわち、入力フォーマットに関わらず、出力フォーマットに応じた位置にＯＳＤ画像の重畳を行う。以下、入力フォーマットと出力フォーマットの各組合せにおいて、ＯＳＤ画像の重畳と３Ｄ映像の復元とについて説明する。
【００３２】
まず、入力フォーマットがＳｂｙＳであって出力フォーマットがＳｂｙＳの場合は、ＯＳＤ部１３は、出力フォーマットのＳｂｙＳに基づいてＯＳＤ画像の幅方向を半分に圧縮した圧縮ＯＳＤ画像を、フレーム画像の左半分の所定位置と、フレーム画像の右半分の所定位置に重畳する。ＦＲＣ２０は、このようにして作成されたＯＳＤ画像を重畳されたフレーム画像の左半分を抽出して幅方向を２倍に拡大した画像を左目用画像とし、右半分を抽出して幅方向に２倍に拡大した画像を右目用画像とする。従って。図７に示す場合と同様に、適切な位置にＯＳＤ画像が表示された３Ｄ映像の原画像が復元され、ＯＳＤが重畳された適切な３Ｄ映像が画面に表示されることになる。
【００３３】
次に、入力フォーマットがＴ＆Ｂであって出力フォーマットがＴ＆Ｂの場合は、ＯＳＤ部１３は、出力フォーマットのＴ＆Ｂに基づいてＯＳＤ画像の高さ方向を半分に圧縮した圧縮ＯＳＤ画像を、フレーム画像の上半分の所定位置と、フレーム画像の下半分の所定位置に重畳する。ＦＲＣ２０は、このようにして作成されたＯＳＤ画像を重畳されたフレーム画像の上半分を抽出して高さ方向を２倍に拡大した画像を左目用画像とし、下半分を抽出して高さ方向に２倍に拡大した画像を右目用画像とする。従って。図８に示す場合と同様に、適切な位置にＯＳＤ画像が表示された３Ｄ映像の原画像が復元され、ＯＳＤが重畳された適切な３Ｄ映像が画面に表示されることになる。
【００３４】
次に、入力フォーマットがＨＤＭＩであって出力フォーマットがＨＤＭＩの場合は、ＯＳＤ部１３は、出力フォーマットのＨＤＭＩに基づいて圧縮していないＯＳＤ画像を、フレーム画像の上半分の所定位置と、フレーム画像の下半分の所定位置に重畳する。ＦＲＣ２０は、このようにして作成されたＯＳＤ画像を重畳されたフレーム画像の上半分を抽出して左目用画像とし、下半分を抽出して右目用画像とする。従って。図９に示す場合と同様に、適切な位置にＯＳＤ画像が表示された３Ｄ映像の原画像が復元され、ＯＳＤが重畳された適切な３Ｄ映像が画面に表示されることになる。
【００３５】
次に、図３を参照しつつ、入力フォーマットがＴ＆Ｂであって出力フォーマットがＳｂｙＳの場合を説明する。同図に示すように、入力フォーマットでは上半分が左目用圧縮画像であって下半分が右目用圧縮画像であるが、ＯＳＤ部１３は、出力フォーマットのＳｂｙＳに基づいて当該フレーム画像をＳｂｙＳとみなし、ＯＳＤ画像の幅方向を半分に圧縮した圧縮ＯＳＤ画像を、フレーム画像の左半分の所定位置とフレーム画像の右半分の所定位置とに重畳する。
【００３６】
ＦＲＣ２０は、フレーム画像の左半分を抽出して幅方向を２倍に拡大した画像を左目用画像とし、右半分を抽出して幅方向を２倍に拡大した右目用画像とする。このとき、３Ｄ映像の原画像が復元されないため３Ｄ映像は画面に表示されないが、左目用画像と右目用画像の適切な位置にＯＳＤ画像が重畳されているため、画面の適切な位置にＯＳＤ画像が表示されることになる。よって、出力フォーマットの誤りに気づいたユーザーが３Ｄ出力設定ボタン４１操作すると、画面に３Ｄ出力モード設定画面にかかるＯＳＤ画像が適切に表示され、ユーザーは３Ｄ出力設定を切替えることができる。
【００３７】
次に、図４を参照しつつ、入力フォーマットがＳｂｙＳであって出力フォーマットがＴ＆Ｂの場合を説明する。同図に示すように、入力フォーマットでは左半分が左目用圧縮画像であって右半分が右目用圧縮画像であるが、ＯＳＤ部１３は、出力フォーマットのＴ＆Ｂに基づいて当該フレーム画像をＴ＆Ｂとみなし、ＯＳＤ画像の高さ方向を半分に圧縮した圧縮ＯＳＤ画像を、フレーム画像の上半分の所定位置とフレーム画像の下半分の所定位置とに重畳する。
【００３８】
ＦＲＣ２０は、フレーム画像の上半分を抽出して高さ方向を２倍に拡大した画像を左目用画像とし、下半分を抽出して高さ方向を２倍に拡大した画像を右目用画像とする。このとき、３Ｄ映像の原画像が復元されないため３Ｄ映像は画面に表示されないが、左目用画像と右目用画像の適切な位置にＯＳＤ画像が重畳されているため、画面の適切な位置にＯＳＤ画像が表示されることになる。よって、出力フォーマットの誤りに気づいたユーザーが３Ｄ出力設定ボタン４１操作すると、画面に３Ｄ出力モード設定画面にかかるＯＳＤ画像が適切に表示され、３Ｄ出力設定を切替えることができる。
【００３９】
次に、図５を参照しつつ、入力フォーマットがＨＤＭＩであって出力フォーマットがＳｂｙＳの場合を説明する。同図に示すように、入力フォーマットでは画像の高さ方向が通常画像の倍の長さを有するフレーム画像の上半分が左目用画像であって下半分が右目用圧縮画像であるが、ＯＳＤ部１３は、出力フォーマットのＳｂｙＳに基づいて当該フレーム画像をＳｂｙＳとみなし、ＯＳＤ画像の幅方向を半分に圧縮した圧縮ＯＳＤ画像を、フレーム画像の上半分の左半分の所定位置とフレーム画像の上半分の右半分の所定位置とに重畳する。
【００４０】
ＦＲＣ２０は、フレーム画像の上半分の左半分を抽出して幅方向を２倍に拡大した画像を左目用画像とし、上半分の右半分を抽出して幅方向を２倍に拡大した画像を右目用画像とする。このとき、３Ｄ映像の原画像は復元されないため３Ｄ映像は画面に表示されないが、左目用画像と右目用画像の適切な位置にＯＳＤ画像が重畳されているため、画面の適切な位置にＯＳＤ画像が表示されることになる。よって、出力フォーマットの誤りに気づいたユーザーが３Ｄ出力設定ボタン４１操作すると、画面に３Ｄ出力モード設定画面にかかるＯＳＤ画像が適切に表示され、３Ｄ出力設定を切替えることができる。
【００４１】
次に、図６を参照しつつ、入力フォーマットがＨＤＭＩであって出力フォーマットがＴ＆Ｂの場合を説明する。同図に示すように、入力フォーマットでは画像の高さ方向が通常画像の倍の長さを有するフレーム画像の上半分が左目用画像であって下半分が右目用圧縮画像であるが、ＯＳＤ部１３は、出力フォーマットのＴ＆Ｂに基づいて当該フレーム画像をＴ＆Ｂとみなし、ＯＳＤ画像の高さ方向を半分に圧縮した圧縮ＯＳＤ画像を、フレーム画像の上半分の上半分の所定位置とフレーム画像の上半分の下半分の所定位置とに重畳する。
【００４２】
ＦＲＣ２０は、フレーム画像の上半分の上半分を抽出して幅方向を２倍に拡大した画像を左目用画像とし、上半分の下半分を抽出して幅方向を２倍に拡大した画像を右目用画像とする。このとき、３Ｄ映像の原画像は復元されないため３Ｄ映像は画面に表示されないが、左目用画像と右目用画像の適切な位置にＯＳＤ画像が重畳されているため、画面の適切な位置にＯＳＤ画像が表示されることになる。よって、出力フォーマットの誤りに気づいたユーザーが３Ｄ出力設定ボタン４１操作すると、画面に３Ｄ出力モード設定画面にかかるＯＳＤ画像が適切に表示され、３Ｄ出力設定を切替えることができる。
【００４３】
以上説明した実施形態によれば、３Ｄ映像の出力フォーマットの指定をユーザーから受付ける３Ｄ出力設定ボタン４１を備えたリモコン４０と、フレーム画像にＯＳＤ（オンスクリーンディスプレイ）画像を重畳するＯＳＤ部１３を備えたＳｏＣ１０と、を備え、リモコン４０を介して受付けた出力フォーマットに規定されている左目用画像の合成領域から取得した画像を利用して左目用画像を復元し、出力フォーマットに規定されている右目用画像の合成領域から取得した画像を利用して右目用画像を復元し、出力フォーマットに応じた位置にＯＳＤ画像を重畳する。よって、ユーザーが３Ｄ出力モード設定を誤った場合であっても、ＯＳＤを視認可能となる。
【００４４】
なお、上述した例では、マイコン３０によって重畳を指示されたＯＳＤ画像をＯＳＤ部１３が圧縮して適切な位置に重畳しているが、むろん、出力フォーマットに応じたＯＳＤ画像の重畳位置と圧縮の要否とをマイコン３０が判断し、予め出力フォーマットに応じた圧縮を行ったＯＳＤ画像をフレーム画像の所定位置に重畳するようにＯＳＤ部１３に指示するようにしても構わない。
【００４５】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４６】
１０…ＳｏＣ、１１…画像処理部、１２…フォーマット検出部、１３…ＯＳＤ部、２０…ＦＲＣ、２１…３Ｄ映像復元部、２２…フレームレート変換部、３０…マイコン、４０…リモコン、４１…３Ｄ出力設定ボタン、４２…カーソルキー、１００…３Ｄテレビ
【図１】
2012244570.tif 000003
【図２】
2012244570.tif 000004
【図３】
2012244570.tif 000005
【図４】
2012244570.tif 000006
【図５】
2012244570.tif 000007
【図６】
2012244570.tif 000008
【図７】
2012244570.tif 000009
【図８】
2012244570.tif 000010
【図９】
2012244570.tif 000011
【図１０】
2012244570.tif 000012
【図１１】
2012244570.tif 000013
【図１２】
2012244570.tif 000014
【図１３】
2012244570.tif 000015